(57)【要約】【課題】  風の影響を受けることなく建造物自体に悪影響を与えずに断熱効果を得ることのできる面状緑化材を提供すること。【解決手段】  ＡＬＣ板と、前記ＡＬＣ板の上に配置された防根シートと、前記防根シートの上に配置された保水材と、前記保水材の上に配置された育苗板と、前記育苗板の上に配置された飛散防止材とから構成されたので、風の影響を受けることなく建造物自体に悪影響を与えずに断熱効果を得ることができる。【選択図】  図１
2006230355.tif 000002
【特許請求の範囲】
【請求項１】
ＡＬＣ板と、
前記ＡＬＣ板の上に配置された防根シートと、
前記防根シートの上に配置された保水材と、
前記保水材の上に配置された育苗板と、
前記育苗板の上に配置された飛散防止材とから構成されたことを特徴とする面状緑化材。
【請求項２】
前記保水材は、複数に区画された小空間をを有し、この小空間の中に保水性を有する骨材を充填したことを特徴とする請求項１に記載の面状緑化材。
【請求項３】
前記保水材の前後面をグラスウールで狭持したことを特徴とする請求項１または２に記載の面状緑化材。
【請求項４】
前記飛散防止材は、ハニカム構造板であることを特徴とする請求項１に記載の面状緑化材。
【請求項５】
前記飛散防止材は、複数の孔を有する鑽孔板であることを特徴とする請求項１に記載の面状緑化材。
【請求項６】
合成樹脂または石綿等から成る裏板と、前記裏板の上に配置された遮水性を有する防水シートと、
前記防水シートの上に配置された保水材と、
前記保水材の上に配置された育苗板と、
前記育苗板の上に配置された飛散防止材とから構成されたことを特徴とする面状緑化材。
【発明の詳細な説明】
【技術分野】
【０００１】
本発明は、ビルや家屋等の外壁、屋根、庇、ベランダや屋上の手摺り部分に使用して、表面に小型植物やコケ植物を植栽することのできる面状緑化材に関するものである。
【背景技術】
【０００２】
今日、都会におけるヒートアイランド現象を緩和するために種々の対策が提案されている。その一環として屋上や屋根等を緑化する方法がある。
例えば、特開平１０−３１３６９２号公報に開示された壁面緑化パネルは、保持体の下端の人工土壌を収納する収納体を設け、人工土壌で育てたつる植物を金網に沿って伸ばし、建物の壁面を覆うものである。また、特開２００２−９７６５３号公報に開示された壁面緑化用ユニットパネルは、植栽土壌基盤を枠体、底板、格子状押さえ材で保持して、壁面等に垂直に取り付けるものである。
【特許文献１】特開平１０−３１３６９２号公報
【特許文献２】特開２００２−９７６５３号公報
【発明の開示】
【発明が解決しようとする課題】
【０００３】
しかし、従来の特許文献１に開示された壁面緑化パネルでは、建造物の壁面を覆うのは金網と育成された植物であり、植物が均一に繁茂するのを期待することは困難である。したがって、確実な断熱効果を得るのは難しいものであった。また、人工土壌の重量が重くなりすぎる虞れもある。
また、特許文献２に開示された壁面緑化用ユニットパネルは、植栽土壌の重量が大きいとともに、断熱性に欠けものであった。また、風の影響を受け易い高層ビル等に設置するのは困難であった。
【課題を解決するための手段】
【０００４】
前記目的を達成するために、請求項１に記載の発明は、ＡＬＣ板と、前記ＡＬＣ板の上に配置された防根シートと、前記防根シートの上に配置された保水材と、前記保水材の上に配置された育苗板と、前記育苗板の上に配置された飛散防止材とから構成されたことを特徴としている。
【０００５】
また、請求項２に記載の発明において、前記保水材は、複数に区画された小空間をを有し、この小空間の中に保水性を有する骨材を充填したことを特徴としている。
【０００６】
また、請求項３に記載の発明において、前記保水材の前後面をグラスウールで狭持したことを特徴とするものである。
【０００７】
また、請求項４に記載の発明において、前記飛散防止材は、ハニカム構造板であることを特徴とするものである。
【０００８】
また、請求項５に記載の発明において、前記飛散防止材は複数の孔を有する鑽孔板であることを特徴とするものである。
【０００９】
また、請求項６に記載の発明は、合成樹脂または石綿等から成る裏板と、前記裏板の上に配置された遮水性を有する防水シートと、前記防水シートの上に配置された保水材と、前記保水材の上に配置された育苗板と、前記育苗板の上に配置された飛散防止材とから構成されたことを特徴とするものである。
【発明の効果】
【００１０】
この発明は前記した構成からなるので、以下に説明するような効果を奏することができる。
【００１１】
本発明では、ＡＬＣ板と、前記ＡＬＣ板の上に配置された防根シートと、前記防根シートの上に配置された保水材と、前記保水材の上に配置された育苗板と、前記育苗板の上に配置された飛散防止材とから構成されたので、風の強い高層ビル等であっても植物の根が張り易いとともに、断熱効果によってビル内部の温度上昇を防ぐことができる。また、植栽した植物を良好に育成することができる。更に、植物やＡＬＣ板、ガラスウール層に含有される水分の蒸発効果によって、温度上昇を防ぐことができる。
【００１２】
また、本発明では、前記保水材は、複数に区画された小空間をを有し、この小空間の中に保水性を有する骨材を充填したので、この保水材中に十分な水分を含むことができるので、植物からの気化熱と保水材からの気化熱によって温暖化を防止することができる。
【００１３】
また、本発明では、前記保水材の両端面をグラスウールで狭持したので、骨材が小空間から落下するおそれがないとともに、雨水等を吸水できる。
【００１４】
また、本発明において、前記飛散防止材は、ハニカム構造板であるので、太陽光を十分に植物が吸収することができ良好に育成できる。また、雨水を十分に吸収することができる。また、高層ビル等の風の強い場所であっても、植栽植物を安全に育てることができる。
【００１５】
また、本発明において、前記飛散防止材は、複数の孔を有する鑽孔板であるので、植物が太陽光を十分に吸収して生育できる。また、雨水等も導入することができる。
【００１６】
また、本発明において、合成樹脂または石綿等から成る裏板と、前記裏板の上に配置された遮水性を有する防水シートと、前記防水シートの上に配置された保水材と、前記保水材の上に配置された育苗板と、前記育苗板の上に配置された飛散防止材とから構成されたので、植物およびＡＬＣ板、保水板層からの水分蒸発によって、ヒートアイランド現象の緩和が図られる。
【発明を実施するための最良の形態】
【００１７】
本発明は、ＡＬＣ板と、前記ＡＬＣ板の上に配置された防根シートと、前記防根シートの上に配置された保水材と、前記保水材の上に配置された育苗板と、前記育苗板の上に配置された飛散防止材とから構成されたので、植物の根等が構造物自体へ悪影響を与えないとともに、断熱効果と保水効果によりヒートアイランド現象の緩和が達成できる。
【実施例】
【００１８】
以下、一実施の形態を示す図面に基づいて本発明を詳細に説明する。図１は本発明に係る面状緑化材の一例を示す正面図、図２は、本発明の面状緑化材の一例を示す縦断面図である。ここで、面状緑化材１０は、ＡＬＣ板１１と、このＡＬＣ板１１の上に配置された防根シート１２と、前記防根シート１２の上に配置された保水材１３と、前記保水材１３の上に配置された育苗板１４と、前記育苗板１４の上に配置された飛散防止材１５とから構成されている。また、積層された各部材は周囲を枠部材１６で囲われている。
【００１９】
ＡＬＣ板１１は、高温高圧蒸気養生された軽量気泡コンクリートパネルとも呼ばれ、珪石、セメント、生石灰を主原料とし、発泡剤としてアルミニューム粉末と水を加えた混合液を鉄筋マットを組み込んだ型枠内に流し込み、化学反応によって発泡させる。発泡後、半硬化の状態で所定のサイズに切断し、高温高圧の蒸気養生して完全硬化させる。このようにして製造されたＡＬＣ板は、軽量であるとともに、断熱性に優れている。
【００２０】
防根シート１２は、植物が根を張り難い材料から構成されている。
保水材１３は、ガラスを微細な繊維状にしたもので、吸水性、親根性に優れている。また、他の材料として天然繊維、合成繊維、スポンジ、織布、不織布等を使用することができる。軽量であることが好ましく、自重の何倍もの水分を含水することができる。育苗板１４は、植物を育成するのに適した材料であればよく、天然繊維、合成繊維等を使用することができる。飛散防止材１５は、例えば、ハニカム構造板から成り、図１に示すように６角形の蜂の巣状をしており、アルミニュームあるいは、透明合成樹脂等で構成されている。したがって、全体の重量を増すことなく、育苗板１４を確実に押さえることができ、風等の影響を排除できる。また、雨水や太陽光が十分に入るので、育苗板１４で植物を育成することができる。押さえ部材１７は、ハニカム構造板１５を更に保持するためのもので、特に強風に晒される高層ビル等で使用する際に効果的である。
【００２１】
枠部材１６は、ＡＬＣ板１１、防根シート１２、保水材１３、育苗板１４、飛散防止材１５の周囲に配置されておりこれらを一体的に固定している。枠部材１６は、木材、合成樹脂、アルミニューム等の軽合金から形成されている。
【００２２】
図４は、本発明の面状緑化材の他の実施例を示す分解斜視図である。本実施例において、面状緑化材２０は、合成樹脂または石綿等から成る裏板２１と、前記裏板２１の上に配置された遮水性を有する防水シート２２と、前記防水シート２２の上に配置された保水材１３と、前記保水材１３の上に配置された育苗板１４と、前記育苗板１４の上に配置された飛散防止材１５とから構成されている。
【００２３】
以上のように構成された場合、ＡＬＣ板を使用することなく面状緑化材２０を構成することができる。また、防水シート２２を配置したので保水材１３，育苗板１４に含まれた水分を裏側に漏らす虞れもない。このため、雨水等を有効に再利用することができる。
【００２４】
図５は、本発明の面状緑化材に使用される保水材の一例を示す断面図、図６は、その保水材の正面図である。本実施例において、保水材５０は複数に区画された小空間５１をを有し、この小空間５１の中に保水性を有する骨材５２を充填したものである。小空間５１の形状は、三角形、四角形や五角形、六角形等の多角形であればよく、この中に骨材５２を適宜充填する。骨材５２としては、小粒径の焼成物や天然の砂、セラミックス等を使用することができる。また、保水材５０の前後面をグラスウール５３で狭持している。このグラスウール５３の層によて狭持することにより、小空間５１から骨材５２が落下するのを防止することができる。
【００２５】
図７は、本発明の面状緑化材に使用される飛散防止材７０の他の実施例を示す正面図、図８は、本発明の飛散防止材７０の要部拡大斜視図である。本実施例において、飛散防止材７０は平板をプレス加工により打ち抜き、複数の小凸部７１と十字状の孔７２を形成したものである。また、射出成型等によって形成してもよい。
【００２６】
以上のように構成された本発明の面状緑化材は以下のように使用することができる。図９は、本発明の面状緑化材を壁面に使用した例を示す縦断面図である。本実施例において、面状緑化材１０は建物の壁面９０に固定されている。また、育苗板１４は、コケ植物、イワダレソウ、芝等の植物を植えることができる。
【００２７】
このように構成した場合、面状緑化材１０の育苗板１４に効果的に植物を着根させることができる。また、植物の根がＡＬＣ板に遮られて建造物まで伸びることがないので、壁面等を傷める虞れがない。更に、面状緑化材１０と建造物の壁面９０との間に空隙を設けることにより、断熱効果を高めることができ、太陽光や周囲の排出熱により建物が熱せられるのを防止できる。したがって、冷房等のエネルギーを節約することができる。
【００２８】
図１０は、本発明の面状緑化材１０を屋根と庇部に使用した例を示す斜視図である。本実施例では、建物１００の屋根と庇に面状緑化材１０を取り付けたものである。このように構成した場合、面状緑化材１０の育苗板１４に効果的に植物を着根させることができる。また、植物の根が、防根シート１２、ＡＬＣ板１１に遮られて建造物まで伸びることがないので、屋根、庇等を傷める虞れがない。更に、面状緑化材１０と屋根、庇のと間に空隙を設けることにより、断熱効果を更に高めることができ、太陽光や周囲の排出熱により建物が熱せられるのを防止できる。したがって、冷房等のエネルギーを節約することができる。
【００２９】
図１１は、本発明の面状緑化材１０を屋上部分に使用した例を示す斜視図である。本実施例において、面状緑化材１０は建物の屋上１００に設置した場合を示すものである。ビルの屋上やベランダに水平にして設置したものである。このように設置して、育苗板１４にコケ植物、イワダレソウ、芝、セダム、ベンケイソウ、クマツヅラ等を植栽する。
【００３０】
以上のように構成した面状緑化材１０の植栽植物と散水条件によるヒートアイランド現象の緩和効果について。
【００３１】
図１２は、本発明の面状緑化材１０をベランダ等の手摺り部に使用した例を示す正面図である。本実施例では、ベランダ１１０の正面に設置した場合である。このように構成した場合、面状緑化材１０によって、断熱効果を高めることができ、太陽光や周囲の排出熱により建物が熱せられるのを防止できる。したがって、冷房等のエネルギーを節約することができる。
【００３２】
次に、本発明の面状緑化材を以下の項目について考察した。
＜断熱および省エネルギー効果＞
また、本発明の面状緑化材によって屋上緑化した区画としない区画における屋上温度と階下天井の表面温度を測定した。表面温度は、９月中旬の１２時でデータである。緑化区画で約３０℃であるのに対し、非緑化区画では約５５℃であり、２５℃の差が見られた。また、建物の屋上には断熱処理が施されていたが、階下天井温度で１〜３℃の差が見られた。
＜ヒートアイランド緩和効果＞
次に、芝やイワダレソウを植栽した区画で定期的に散水を行った。その結果、蒸発効率が０．３〜０．６であった。また、散水頻度を減らした時期でも、０．２以上の蒸発効率を示した。また、セダムを植栽した区画では、定期的に散水した時期では、０．４程度であったが、散水を減らした時期には、０．１以下であった。これによって、植物の種類と散水条件によって蒸発効率に相違があることがわかった。
【図面の簡単な説明】
【００３３】
【図１】図１は、本発明に係る面状緑化材の一例を示す正面図である。
【図２】図２は、同面状緑化材の一例を示す縦断面図である。
【図３】図３は、同面状緑化材の分解斜視図である。
【図４】図４は、同面状緑化材の他の実施例を示す分解斜視図である。
【図５】図５は、同面状緑化材に使用される保水材の一例を示す断面図である。
【図６】図６は、同保水材の正面図である。
【図７】図７は、本発明の面状緑化材に使用される飛散防止材の他の実施例を示す正面図である。
【図８】図８は、同飛散防止材の要部拡大斜視図である。
【図９】図９は、同面状緑化材を壁面に使用した例を示す縦断面図である。
【図１０】図１０は、同面状緑化材を屋根と庇部に使用した例を示す斜視図である。
【図１１】図１１は、同面状緑化材を屋上部分に使用した例を示す斜視図である。
【図１２】図１２は、同面状緑化材をベランダ等の手摺り部に使用した例を示す正面図である。
【符号の説明】
【００３４】
１０、２０    面状緑化材
１１      ＡＬＣ板
１２      防根シート
１３      保水材
１４      育苗板
１５      飛散防止材
１６      枠部材
１７      押さえ部材
２１      裏板
２２      防水シート
５０      保水材
５１      小空間
５２      骨材
７０      飛散防止材
【図１】
2006230355.tif 000003
【図２】
2006230355.tif 000004
【図３】
2006230355.tif 000005
【図４】
2006230355.tif 000006
【図５】
2006230355.tif 000007
【図６】
2006230355.tif 000008
【図７】
2006230355.tif 000009
【図８】
2006230355.tif 000010
【図９】
2006230355.tif 000011
【図１０】
2006230355.tif 000012
【図１１】
2006230355.tif 000013
【図１２】
2006230355.tif 000014